(57)【要約】【課題】キャビネットに固着してあり、部材をねじ止めするための筒体の内側に、過大な力でねじを螺合させた場合に、筒体がキャビネットから外れて、キャビネット内に落下することを防ぐことができる表示装置を提供する。【解決手段】リヤキャビネット１の貫通孔１０ａに、内側にねじ溝３０ａを形成してある筒体３０の一端部を固着し、バックライトシャーシ２の孔部２０ｃに、筒体３０の他端部に設けてある直方体状の嵌合駒３２を嵌合させて、ねじを筒体３０の内側に螺合させた場合における前記筒体３０の軸回りの回転を阻止する構成とした。【選択図】図７
2010048975.tif 000002
【特許請求の範囲】
【請求項１】
映像を表示する表示パネルと、該表示パネルに向けて光を照射する光源を支持するシャーシと、該シャーシを収容しており、貫通孔を有するキャビネットと、一端部を前記貫通孔に固着してある筒体とを備え、前記キャビネットに部材を固定するねじを前記筒体の内側に螺合させるようにしてある表示装置において、
前記シャーシに孔部が開設してあり、
該孔部に嵌合しており、前記筒体の軸回りの回転を阻止するための嵌合駒が、前記筒体の他端部に設けてあること
を特徴とする表示装置。
【請求項２】
前記シャーシは、前記キャビネットに対向する補強杆を有しており、
該補強杆に前記孔部を開設してあること
を特徴とする請求項１に記載の表示装置。
【請求項３】
前記孔部は矩形をなし、
前記嵌合駒は直方体状をなすこと
を特徴とする請求項１又は２に記載の表示装置。
【発明の詳細な説明】
【技術分野】
【０００１】
本発明は、表示パネルに向けて光を照射する光源を支持するシャーシを備え、該シャーシを収容するキャビネットに、部材をねじ止めするための筒体を固着してある表示装置に関する。
【背景技術】
【０００２】
近年、表示装置の薄型化及び軽量化が進み、壁に取り付けることができる表示装置が広く普及している。一般に表示装置の壁への取り付けは、表示装置のリヤキャビネットに設けてあるナット部に、取り付け金具をねじ止めし、該取り付け金具を壁に固定することによって行われる。
【０００３】
特許文献１には、リヤキャビネットの背面に貫通孔を設け、該貫通孔にナット部を挿入し、ナット部をインサート成形にて貫通孔に固着してある表示装置が記載されている。該表示装置にあっては、ナット部が正面から視認されることがなく、表示装置の外観品位を保つことができる。
【特許文献１】特開２００７−２３３０１８号公報
【発明の開示】
【発明が解決しようとする課題】
【０００４】
しかし特許文献１に記載の表示装置にあっては、ナット部を、リヤキャビネットにインサート成形によって固着しているため、ナット部の周囲に応力が集中しやすくなっている。このため過大な力で、ナット部にねじを螺合させた場合に、ナット部の周囲が破断して、リヤキャビネットからナット部が外れ、ナット部がリヤキャビネット内に落下するおそれがある。
【０００５】
本発明は斯かる事情に鑑みてなされたものであり、キャビネットに固着してある筒体に、過大な力でねじを螺合させた場合に、筒体がキャビネットから外れて、キャビネット内に落下することを防止することができる表示装置を提供することを目的とする。
【課題を解決するための手段】
【０００６】
本発明に係る表示装置は、映像を表示する表示パネルと、該表示パネルに向けて光を照射する光源を支持するシャーシと、該シャーシを収容しており、貫通孔を有するキャビネットと、一端部を前記貫通孔に固着してある筒体とを備え、前記キャビネットに部材を固定するねじを前記筒体の内側に螺合させるようにしてある表示装置において、前記シャーシに孔部が開設してあり、該孔部に嵌合しており、前記筒体の軸回りの回転を阻止するための嵌合駒が、前記筒体の他端部に設けてあることを特徴とする。
【０００７】
本発明においては、キャビネットに開設された貫通孔に、筒体の一端部を固着し、該筒体の他端部に嵌合駒を設けて、該嵌合駒を前記シャーシに開設してある貫通孔に嵌合する。筒体の一端部の内側に、過大な力でねじを螺合しても、前記孔部にて筒体の他端部が係止されているので、筒体が軸回りに回転することはなく、筒体はキャビネットから外れない。
【０００８】
本発明に係る表示装置は、前記シャーシは、前記キャビネットに対向する補強杆を有しており、該補強杆に前記孔部を開設してあることを特徴とする。
【０００９】
本発明においては、補強杆に前記孔部を開設し、前記筒体の他端部を孔部に嵌合させており、ねじに作用した力は高強度の補強杆に負荷されるので、ねじに作用した力によってシャーシが変形することを防止することができる。また孔部の形状と嵌合駒の形状とを、孔部に嵌合した嵌合駒が軸回りに回転することができない形状、例えば孔部の形状をＬ形、鈎形等の形状にし、嵌合駒を孔部に対応した形状とすることで、筒体は軸回りに回転することができなくなり、筒体がキャビネットから外れることを防止することができる。
【００１０】
本発明に係る表示装置は、前記孔部は矩形をなし、前記嵌合駒は直方体状をなすことを特徴とする。
【００１１】
本発明においては、前記孔部の形状を矩形にし、前記嵌合駒を、矩形の孔部に対応した直方体状に形成することによって、筒体に回転力が作用しても、直方体状の嵌合駒が、矩形の孔部にて確実に係止されるので、筒体は回転しない。
【発明の効果】
【００１２】
本発明に係る表示装置にあっては、キャビネットに開設された貫通孔に、筒体の一端部を固着し、該筒体の他端部に嵌合駒を設け、該嵌合駒をシャーシに開設してある孔部に嵌合する。これにより、筒体の一端部の内側に過大な力でねじを螺合しても、前記孔部にて嵌合駒が摩擦力によって係止されるので、筒体の周囲が破断して、筒体がキャビネットから外れることを防止することができる。
【発明を実施するための最良の形態】
【００１３】
以下本発明を実施の形態に係る表示装置を示す図面に基づいて詳述する。図１は表示装置の略示背面図、図２は表示装置のリヤキャビネット及び補強杆を正面側から見た模式的斜視図、図３はリヤキャビネット、筒体及び補強杆を示す模式的分解斜視図、図４は筒体を示す模式的斜視図、図５は補強杆を示す模式的斜視図、図６はバックライトシャーシ及びリヤキャビネット付近の構成を示す模式的縦断面図、図７は筒体付近の構成を示す模式的部分拡大縦断面図である。
【００１４】
図において１は、樹脂成形された矩形のリヤキャビネット１であり、該リヤキャビネット１には板状のバックライトシャーシ２が対向している。該バックライトシャーシ２におけるリヤキャビネット１と反対側の面に、図示しない光源が支持してあり、該光源が図示しない表示パネルに向けて光を照射するようにしてある。
【００１５】
バックライトシャーシ２は、矩形のシャーシ板２ａと、シャーシ板２ａを補強するための二つの補強杆２ｂ、２ｂとを備えている。各補強杆２ｂ、２ｂは、シャーシ板２ａの長手縁に対して直角になるように、シャーシ板２ａの中央部に並設してあり、補強杆２ｂ、２ｂは、シャーシ板２ａとリヤキャビネット１との間に位置している。補強杆２ｂ、２ｂ毎に、リヤキャビネット１側に突出した二つの切り起こし部２０、２０が、適長間隔を空けて形成してある。
【００１６】
切り起こし部２０は側面視Ｌ形をなしており、切り起こし部２０は、シャーシ板２ａに対して直角な直角板部２０ａと、該直角板部２０ａに連なっており、シャーシ板２ａに平行な平行板部２０ｂとを備えている。該平行板部２０ｂには、貫通した矩形の孔部２０ｃが開設してある。
【００１７】
リヤキャビネット１のバックライトシャーシ２側の中央部には、前記切り起こし部２０に対応しており、後述する筒体３０を挿入するための四つの挿入円筒１０、１０、１０、１０が、リヤキャビネット１に対して直角に設けてある。挿入円筒１０の内側は、貫通孔１０ａになっている。バックライトシャーシ２と反対側に位置する貫通孔１０ａの開口の内周に、筒体３０を係止するための係止円環１０ｂが一体的に設けてある。
【００１８】
前記貫通孔１０ａには、有底円筒形の筒体３０が挿入してあり、筒体３０の内側には、ねじ溝３０ａが形成されている。筒体３０の底面には、連結台３１を介して、前記孔部２０ｃに嵌合する直方体状の嵌合駒３２が連結してある。連結台３１は、底面が円形であって、頂面が矩形をなす錐状に形成されている。連結台３１の底面と筒体３０の底面とが連なっており、連結台３１の頂面と嵌合駒３２とが連なっている。また筒体３０の開口側の先端には、筒体３０の外径よりも小さい外径の円環部３３が同軸的に連なっている。
【００１９】
筒体３０の開口部分を、バックライトシャーシ２側から挿通円筒１０に挿入し、前記円環部３３を前記係止円環１０ｂの内側に位置させると共に、前記係止円環１０ｂにて、筒体３０の開口周縁部分を係止してある。筒体３０の外周には、図示しないローレット目が形成されており、樹脂成形されたリヤキャビネット１を加熱することによって、ローレット目に樹脂が融着し、筒体３０は挿通円筒１０に固着されている。また前記嵌合駒３２は、前記孔部２０ｃに嵌合している。
【００２０】
表示装置を壁に取り付けるための取り付け金具を、リヤキャビネット１に装着する場合には、取り付け金具に開設された孔にねじを挿入し、挿入したねじを前記筒体３０のねじ溝３０ａに螺合させる。ねじに作用した回転力は、筒体３０に伝播し、軸回りに回転させる力が筒体３０に作用する。筒体３０のローレット目には樹脂が融着しているため、筒体３０の回転は阻止されている。
【００２１】
ねじに過大な回転力が付与された場合には、筒体３０のローレット目に融着した樹脂が破断し、筒体３０が回転するおそれがある。しかしながら、筒体３０の底部に設けてある直方体状の嵌合駒３２が前記孔部２０ｃに嵌合しているので、軸回りに回転させる過大な力が筒体３０に作用しても、嵌合駒３２は孔部２０ｃにて係止され、嵌合駒３２を軸回りに回転させることはできない。このため、ねじに過大な回転力が付与されたとしても、筒体３０は回転しない。
【００２２】
仮に筒体３０のローレット目に融着した樹脂が破断したとしても、嵌合駒３２は孔部２０ｃにて係止されているので、筒体３０がリヤキャビネット１内に落下することはなく、また、ねじを筒体３０に螺合させた場合に筒体３０は空転しないので、部材、例えば壁架け用の金具をリヤキャビネット１に取り付けることができる。
【００２３】
また補強杆２ｂに開設した孔部２０ｃに、嵌合駒３２を嵌合させており、ねじに作用した力は高強度の補強杆２ｂに負荷される。このためねじに作用した力によって、バックライトシャーシ２が変形することを防止することができる。
【００２４】
なお実施の形態にあっては、孔部２０ｃを矩形に形成し、嵌合駒３２を矩形の孔部２０ｃに対応した直方体に形成しているが、孔部２０ｃをＬ形、鈎形、楕円形等に形成し、嵌合駒３２をこれらに対応した形状に形成しても良い。換言すれば、孔部２０ｃの形状と嵌合駒３２の形状とは、孔部に嵌合した嵌合駒が軸回りに回転することができない形状であれば良い。
【図面の簡単な説明】
【００２５】
【図１】実施の形態に係る表示装置の略示背面図である。
【図２】実施の形態に係る表示装置のリヤキャビネット及び補強杆を正面側から見た模式的斜視図である。
【図３】実施の形態に係る表示装置のリヤキャビネット、筒体及び補強杆を示す模式的分解斜視図である。
【図４】実施の形態に係る表示装置の筒体を示す模式的斜視図である。
【図５】実施の形態に係る表示装置の補強杆を示す模式的斜視図である。
【図６】実施の形態に係る表示装置のバックライトシャーシ及びリヤキャビネット付近の構成を示す模式的縦断面図である。
【図７】実施の形態に係る表示装置の筒体付近の構成を示す模式的部分拡大縦断面図である。
【符号の説明】
【００２６】
１  リヤキャビネット（キャビネット）
２  バックライトシャーシ（シャーシ）
２ｂ  補強杆（杆体）
１０  挿入円筒
１０ａ  貫通孔
２０  切り起こし部
２０ｃ  孔部
３０  筒体
３０ａ  ねじ溝
３１  連結台
３２  嵌合駒
【図１】
2010048975.tif 000003
【図２】
2010048975.tif 000004
【図３】
2010048975.tif 000005
【図４】
2010048975.tif 000006
【図５】
2010048975.tif 000007
【図６】
2010048975.tif 000008
【図７】
2010048975.tif 000009